(57)【要約】【課題】蓋付き包装用容器に収容された収容物を視認する際にスタック用の膨出部が邪魔になることを極力抑制し、収容物の視認性を高めることができると共に、スタック用の膨出部を目立たないようして蓋付き包装用容器及びこれに収容された収容物の陳列状態の美観を高めることができる。【解決手段】透明な合成樹脂で形成され、周状に設けられる側壁３２と、側壁３２の下端から外方に延びるフランジ部３３、３４と、側壁３２とフランジ部３３、３４に跨るようにして局所的に形成されたスタック膨出部３５と、スタック膨出部３５の天面３５１をへこませて設けられた凹部３５２を備える包装用容器の蓋１。【選択図】図５
2019043574.tif 000002
【特許請求の範囲】
【請求項１】
透明な合成樹脂で形成され、
周状に設けられる側壁と、
前記側壁の下端から外方に延びるフランジ部と、
前記側壁と前記フランジ部に跨るようにして局所的に形成されたスタック膨出部と、
前記スタック膨出部の天面をへこませて設けられた凹部
を備えることを特徴とする包装用容器の蓋。
【請求項２】
前記凹部が前記側壁から凹ませて連設されていることを特徴とする請求項１記載の包装用容器の蓋。
【請求項３】
少なくとも一つの前記スタック膨出部が前記側壁の隅部に略対応する位置に設けられ、
前記隅部の前記スタック膨出部の前記凹部が、前記側壁の前記隅部の周方向の曲率に略倣うようにして前記側壁から連設されていることを特徴とする請求項２記載の包装用容器の蓋。
【請求項４】
前記凹部が外方に向かって上方に傾斜するように設けられる傾斜部を有することを特徴とする請求項１又は２記載の包装用容器の蓋。
【請求項５】
請求項１〜４の何れかに記載の包装用容器の蓋と、前記蓋が被せられる容器本体とから構成されることを特徴とする蓋付き包装用容器。
【発明の詳細な説明】
【技術分野】
【０００１】
本発明は、例えば食品、食材等が収容される包装用容器の容器本体に被せられる包装用容器の蓋及び蓋付き包装用容器に関する。
【背景技術】
【０００２】
包装用容器の容器本体に食品、食材等を収容して蓋を閉じる前段階においては、容器本体同士、及び蓋同士はそれぞれ多段に積み重ねられた状態で置かれるのが一般的である。そして、多段に積み重ねられた状態から容器本体と蓋を１個ずつ取り出すようにして、容器本体に食品、食材等の収容物を収容して蓋を閉じる作業が行われる。
【０００３】
このように多段に積み重ねた状態の容器本体同士の嵌まり込み、蓋同士の嵌まり込みを防止すべく、従来、容器本体、蓋には、それぞれスタック用の膨出部が局所的に形成することが行われている。特許文献１〜３には、容器本体や蓋に局所的に形成されたスタック用の膨出部が開示されている。
【先行技術文献】
【特許文献】
【０００４】
【特許文献１】特開２００５−８２５４号公報
【特許文献２】意匠登録第１１０８５１８号公報
【特許文献３】意匠登録第１５６５１６８号公報
【発明の概要】
【発明が解決しようとする課題】
【０００５】
ところで、透明な包装用容器の蓋にスタック用の膨出部を局所的に設けた場合、食品、食材等の収容物を容器本体に収容して蓋を閉じ、店頭で陳列した際に、スタック用の膨出部が邪魔になって収容物が見えにくくなるという問題が生じていた。また、局所的な膨出部の外側への膨らみが目立ってしまい、美観が損なわれるという不具合もあった。
【０００６】
本発明は上記課題に鑑み提案するものであって、蓋付き包装用容器に収容された収容物を視認する際にスタック用の膨出部が邪魔になることを極力抑制し、収容物の視認性を高めることができると共に、スタック用の膨出部を目立たないようして蓋付き包装用容器及びこれに収容された収容物の陳列状態の美観を高めることができる包装用容器の蓋、及び蓋付き包装用容器を提供することを目的とする。
【課題を解決するための手段】
【０００７】
本発明の包装用容器の蓋は、透明な合成樹脂で形成され、周状に設けられる側壁と、前記側壁の下端から外方に延びるフランジ部と、前記側壁と前記フランジ部に跨るようにして局所的に形成されたスタック膨出部と、前記スタック膨出部の天面をへこませて設けられた凹部を備えることを特徴とする。
これによれば、スタック膨出部の天面をへこませて設けられた凹部により、蓋付き包装用容器に収容された収容物を消費者が視認する際にスタック用の膨出部が邪魔になることを極力抑制することができ、食品、食材等の収容物の視認性を高めることができる。また、スタック膨出部の天面の凹部により、スタック膨出部を極力目立たないようにすることができ、蓋付き包装用容器及びこれに収容された収容物の陳列状態の美観を高めることができる。
【０００８】
本発明の包装用容器の蓋は、前記凹部が前記側壁から凹ませて連設されていることを特徴とする。
これによれば、スタック膨出部の凹部を側壁から凹ませて連設することで、透明な側壁の連続面の面積をスタック膨出部の近傍で増加させることができ、スタック膨出部が視認の邪魔になることを一層抑制し、食品、食材等の収容物の視認性をより高めることができる。また、スタック膨出部の凹部を段部を介さずに側壁から連設する形状により、スタック膨出部の形状を合成樹脂の熱成形で成形し易い形状にすることができる。
【０００９】
本発明の包装用容器の蓋は、少なくとも一つの前記スタック膨出部が前記側壁の隅部に略対応する位置に設けられ、前記隅部の前記スタック膨出部の前記凹部が、前記側壁の前記隅部の周方向の曲率に略倣うようにして前記側壁から連設されていることを特徴とする。
これによれば、スタック膨出部を側壁の隅部に略対応する位置に設けることにより、包装用容器の蓋の積み重ねた状態をより安定させることができる。また、隅部のスタック膨出部の凹部を、側壁の隅部の周方向の曲率に略倣うようにして側壁から連設することにより、スタック膨出部及びその凹部の側壁との連続性を高め、より目立たなくすることができると共に、スタック膨出部が視認の邪魔になることを更に抑制し、食品、食材等の収容物の視認性をより一層高めることができる。
【００１０】
本発明の包装用容器の蓋は、前記凹部が外方に向かって上方に傾斜するように設けられる傾斜部を有することを特徴とする。
これによれば、スタック膨出部の凹部を外方に向かって上方に傾斜するように設けられる傾斜部を有するように形成することにより、スタック膨出部の形状を合成樹脂の熱成形で成形し易い形状にすることができる。また、蓋を積み重ねた際に、上に重なる蓋の傾斜部と下の傾斜部が引っかかることで、横揺れ等にも耐えられる積み重ね状態を得ることができ、積み重ね状態の安定性を高めることができる。
【００１１】
本発明の蓋付き包装用容器は、本発明の包装用容器の蓋と、前記蓋が被せられる容器本体とから構成されることを特徴とする。
これによれば、本発明の包装用容器の蓋の作用効果を奏する蓋付き包装用容器を得ることができる。
【発明の効果】
【００１２】
本発明によれば、蓋付き包装用容器に収容された食品、食材等の収容物を消費者が視認する際に、スタック用の膨出部が邪魔になることを極力抑制し、収容物の視認性を高めることができると共に、スタック用の膨出部を目立たないようして蓋付き包装用容器及びこれに収容された収容物の陳列状態の美観を高めることができる。
【図面の簡単な説明】
【００１３】
【図１】（ａ）は本発明による実施形態の蓋付き包装用容器の開蓋状態の平面図、（ｂ）はその正面図。
【図２】実施形態の蓋付き包装用容器の閉蓋状態の正面図。
【図３】実施形態の蓋付き包装用容器における蓋の平面図。
【図４】実施形態の蓋付き包装用容器における蓋の要部平面図。
【図５】図４のＡ−Ａ端面説明図。
【図６】実施形態の蓋付き包装用容器における蓋の要部斜視図。
【図７】実施形態の蓋付き包装用容器の開蓋状態の斜視図。
【図８】実施形態の蓋付き包装用容器の開蓋状態における蓋の天板側から視た斜視図。
【図９】実施形態の蓋付き包装用容器を開蓋して積み重ねた状態の要部端面説明図。
【図１０】（ａ）、（ｂ）は実施形態の蓋付き包装用容器の蓋の第１変形例、第２変形例を示す部分端面説明図。
【発明を実施するための形態】
【００１４】
〔実施形態の包装用容器の蓋及び蓋付き包装用容器〕
本発明による実施形態の蓋付き包装用容器１は、図１〜図８に示すように、平面視略矩形であり、包装用容器の容器本体２と、包装用容器の蓋３とから構成され、湾曲するヒンジ部４を介して容器本体２と蓋３が一体的に設けられているものである。本実施形態の蓋付き包装用容器１は、透明な合成樹脂の薄板で一体的に形成されており、容器本体２、蓋３、ヒンジ部４はいずれも透明な合成樹脂で形成されている。
【００１５】
容器本体２は、底部２１と、底部２１の周囲から起立して周状に設けられる側壁２２と、略三辺に対応する位置で側壁２２の上端から外方に延びるフランジ部２３と、残りの一辺の大部分に対応する位置で側壁２２の上端から外方に延びるフランジ部２４を有する。底部２１には、周状に形成された脚部２１１の内側に上げ底板２１２が設けられ、上げ底板２１２の所定箇所に盛上り凸部２１３が所定形状で形成されている。
【００１６】
フランジ部２３、２４は、外方に略水平で延びる部分を有し、その外端から上方に屈曲して延びるように形成されており、断面視略Ｌ字形で外方に張り出して形成されている。フランジ部２３、２４の断面視略Ｌ字形の張出部分は、全体として周状に連なって形成され、蓋３の嵌合部が嵌め込まれる被嵌合部として機能するようになっている。また、略三辺に対応する位置のフランジ部２３には、その断面視略Ｌ字形の張出部分の上端から外方に鍔部２３１が一連で形成されており、残りの一辺の大部分に対応する位置のフランジ部２４には、その断面視略Ｌ字形の張出部分の上端から外方にヒンジ部４が連なって形成されている。
【００１７】
容器本体２には、側壁２２とフランジ部２３、２４に跨るようにして外側に膨出するスタック用の膨出部２５が局所的に形成されている。スタック用の膨出部２５は複数箇所に形成されており、本例では容器本体２の四隅に略対応する位置の４箇所に、側壁２２とフランジ部２３、２４の略水平で外方に延びる部分に跨るようにして膨出部２５が形成されている。
【００１８】
蓋３は、天板３１と、天板３１の周囲から外側に突出して下方に延びる側壁３２を有し、側壁３２は周状に設けられている。更に、蓋３は、略三辺に対応する位置で側壁３２の下端から外方に延びるフランジ部３３と、残りの一辺の大部分に対応する位置で側壁３２の下端から外方に延びるフランジ部３４を有する。尚、蓋３に関する上、下は、蓋３を容器本体２に閉じた状態での上、下の方向を示している。
【００１９】
フランジ部３３、３４は、外方に略水平で延びる部分を有し、その外端から上方に屈曲して延びるように形成されており、断面視略Ｌ字形で外方に張り出して形成されている。フランジ部３３、３４の断面視略Ｌ字形の張出部分は、全体として周状に連なって形成され、容器本体２のフランジ部２３、２４で構成される被嵌合部の内側に内嵌合で嵌め込まれる嵌合部として機能するようになっている。また、略三辺に対応する位置のフランジ部３３には、その断面視略Ｌ字形の張出部分の上端から外方に鍔部３３１が一連で形成されており、残りの一辺の大部分に対応する位置のフランジ部３４には、その断面視略Ｌ字形の張出部分の上端から外方にヒンジ部４が連なって形成されている。
【００２０】
蓋３には、側壁３２とフランジ部３３、３４に跨るようにして外側に膨出するスタック用のスタック膨出部３５が局所的に形成されている。スタック膨出部３５は複数箇所に形成されており、本例では蓋３の四隅近傍の４箇所に、側壁３２とフランジ部３３、３４の略水平で外方に延びる部分に跨るようにしてスタック膨出部３５が形成されている。
【００２１】
スタック膨出部３５には、天面３５１をへこませて形成された凹部３５２が設けられている。本実施形態におけるスタック膨出部３５の凹部３５２は、側壁３２に連なる位置から凹んで連設されている。また、本実施形態におけるスタック膨出部３５の凹部３５２には、外方に向かって上方に傾斜するように形成された傾斜部３５２１が設けられており、側壁３２の隅から蓋３全体の隅に向かう方向において、傾斜部３５２１は、外方に向かって上方に傾斜するように凹部３５２の上面に設けられている。更に、本例では、スタック膨出部３５が側壁３２の隅部に略対応する位置に設けられることに加え、隅部のスタック膨出部３５の凹部３５２が、側壁３２の隅部の周方向の曲率に略倣うようにして側壁３２から連設されている。
【００２２】
本実施形態の蓋付き包装用容器１を開蓋して積み重ねた状態では、図９に示すように、上段に位置する蓋付き包装用容器１及びその容器本体２、蓋３と、下段に位置する蓋付き包装用容器１及びその容器本体２、蓋３とが嵌まり込むことなく積み重ねられる。この積み重ね状態における容器本体２・２では、下段の容器本体２の膨出部２５に上段の容器本体２の膨出部２５が嵌まり込むことがない形状で載置されるか、或いは下段の膨出部２５と上段の膨出部２５の位置を容器本体２の周方向に若干等でずらして上段の膨出部２５がフランジ部２３若しくはフランジ部２４の略水平に延びる部分に載置される構成等とする。また、この積み重ね状態における蓋３・３では、下段の蓋３のスタック膨出部３５に上段の蓋３のスタック膨出部３５が嵌まり込むことがない形状で載置されるか、或いは下段のスタック膨出部３５と上段のスタック膨出部３５の位置を蓋３の周方向に若干等でずらして上段のスタック膨出部３５がフランジ部３３若しくはフランジ部３４の略水平に延びる部分に載置される構成等とする。
【００２３】
本実施形態によれば、蓋３のスタック膨出部３５の天面３５１をへこませて設けられた凹部３５２により、蓋付き包装用容器１に収容された収容物を消費者が視認する際にスタック用の膨出部が邪魔になることを極力抑制することができ、食品、食材等の収容物の視認性を高めることができる。また、スタック膨出部３５を極力目立たないようにすることができ、蓋付き包装用容器１及びこれに収容された収容物の陳列状態の美観を高めることができる。
【００２４】
また、スタック膨出部３５の凹部３５２を側壁３２から凹ませて連設することにより、透明な側壁３２の連続面の面積をスタック膨出部３５の近傍で増加させることができ、スタック膨出部３５が視認の邪魔になることを一層抑制し、食品、食材等の収容物の視認性をより高めることができる。また、スタック膨出部３５の凹部３５２を段部を介さずに側壁３２から連設する形状により、スタック膨出部３５の形状を合成樹脂の熱成形で成形し易い形状にすることができる。
【００２５】
また、スタック膨出部３５を側壁３２の隅部に略対応する位置に設けることにより、包装用容器の蓋３の積み重ねた状態をより安定させることができる。また、隅部のスタック膨出部３５の凹部３５２を、側壁３２の隅部の周方向の曲率に略倣うようにして側壁３２から凹ませて連設することにより、スタック膨出部３５及びその凹部３５２の側壁３２との連続性を高め、より目立たなくすることができると共に、スタック膨出部３５が視認の邪魔になることを更に抑制し、食品、食材等の収容物の視認性をより一層高めることができる。
【００２６】
また、スタック膨出部３５の凹部３５２を外方に向かって上方に傾斜するように設けられる傾斜部３５２１を有するように形成することにより、スタック膨出部３５の形状を合成樹脂の熱成形で成形し易い形状にすることができる。また、蓋を積み重ねた際に、上に重なる蓋の傾斜部３５２１と下の傾斜部３５２１が引っかかることで、横揺れ等にも耐えられる積み重ね状態を得ることができ、積み重ね状態の安定性を高めることができる。
【００２７】
〔本明細書開示発明の包含範囲〕
本明細書開示の発明は、発明として列記した各発明、実施形態の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記変形例や追記した内容も含まれる。
【００２８】
例えば上記実施形態の蓋付き包装用容器１は、容器本体２と、蓋３がヒンジ部４を介して一体化されたものとしたが、本発明の包装用容器の蓋には、容器本体と蓋が別体の場合の蓋も含まれ、又、本発明の蓋付き包装用容器には、容器本体と蓋が別体で、蓋を容器本体に内嵌合や外嵌合等して蓋で容器本体が閉じられる蓋付き包装用容器も含まれる。
【００２９】
また、本発明の包装用容器の蓋で、スタック膨出部を設ける周方向の位置は、上下段の蓋の嵌まり込み防止を図れる位置であれば適宜であり、又、局所的に設けられるスタック膨出部の周方向の個数も、上下段の蓋の嵌まり込み防止を図れる個数であれば適宜である。
【００３０】
また、本発明の包装用容器の蓋或いは蓋付き包装用容器におけるスタック膨出部の凹部には、スタック膨出部の天面をへこませて設けられた適宜の凹部の形状が含まれる。例えば図１０（ａ）の第１変形例のように、蓋３のスタック膨出部３５ａに天面３５１ａをへこませて凹部３５２ａを形成し、凹部３５２ａに外方に向かって上方に傾斜するように形成された傾斜部３５２１ａを設けると共に、凹部３５２ａを側壁３２から凹んで連設せずに、側壁３２から外側に延びた途中位置から凹むように形成する構成とすることも可能である。
【００３１】
更に、例えば図１０（ｂ）の第２変形例のように、蓋３のスタック膨出部３５ｂに天面３５１ｂをへこませて凹部３５２ｂを形成し、凹部３５２ｂから天面３５１ｂに至る部分を傾斜部ではなく略垂直に起立する段部３５２２ｂとする構成とすることも可能である。
【産業上の利用可能性】
【００３２】
本発明は、例えば食品、食材等が収容される蓋付き包装用容器や包装用容器の蓋に利用することができる。
【符号の説明】
【００３３】
１…蓋付き包装用容器  ２…容器本体  ２１…底部  ２１１…脚部  ２１２…上げ底板  ２１３…盛上り凸部  ２２…側壁  ２３、２４…フランジ部  ２３１…鍔部  ２５…膨出部  ３…蓋  ３１…天板  ３２…側壁  ３３、３４…フランジ部  ３３１…鍔部  ３５…スタック膨出部  ３５１…天面  ３５２…凹部  ３５２１…傾斜部  ４…ヒンジ部  ３５ａ…スタック膨出部  ３５１ａ…天面  ３５２ａ…凹部  ３５２１ａ…傾斜部  ３５ｂ…スタック膨出部  ３５１ｂ…天面  ３５２ｂ…凹部  ３５２２ｂ…段部
【図１】
2019043574.tif 000003
【図２】
2019043574.tif 000004
【図３】
2019043574.tif 000005
【図４】
2019043574.tif 000006
【図５】
2019043574.tif 000007
【図６】
2019043574.tif 000008
【図７】
2019043574.tif 000009
【図８】
2019043574.tif 000010
【図９】
2019043574.tif 000011
【図１０】
2019043574.tif 000012